(57)【要約】【課題】従来のビルトインアルカリ整水器またはビルトイン浄水器の水栓は、水栓の構造上、水栓の表面にメッキ処理を施した場合、静電気による機能故障が懸念され、メッキによる表面処理が出来ず、また、あらゆる方向からの組立となり、組立が複雑であり、固定用のビスも外観に露出し、ユーザーに見えるため外観の高級感を損なうものであった。【解決手段】本発明の流し台に設置するビルトインアルカリ整水器またはビルトイン浄水器の操作基板１６を内蔵した水栓７において、水栓７の外郭ケース表面にはメッキを施し、製品側面には、水栓組立用のビスがなく、前記ビスが外観に露出しない構造であることを特徴とする水栓を提供し、高級感を備えることを目的とする。【選択図】  図２
2004232382.tif 000002
【特許請求の範囲】
【請求項１】
流し台に設置するビルトインアルカリ整水器、または、ビルトイン浄水器の操作基板を内蔵した水栓にであって、水栓の外郭ケースの表面にはメッキを施し、製品側面には、水栓組立用のビスが外観に露出しない構造であることを特徴とする水栓。
【請求項２】
前記外郭ケースは、垂直方向に分割され、その連結構造として、プラスチック製の通水路を有する連結部材によってビス固定されていることを特徴とする請求項１記載の水栓。
【請求項３】
前記操作基板は、操作スイッチのヒンジ形状を有するプラスチック製の操作カバーと前記連結部材によって収納された状態で操作基板ボックスを形成したことを特徴とする請求項１または２記載の水栓。
【請求項４】
前記操作基板の固定は前記操作カバーと前記連結部材によって挟み込まれた状態のみで固定されていることを特徴とする請求項３記載の水栓。
【請求項５】
前記操作基板ボックスを、外郭を構成する上ケースに固定する場合は、その姿勢を水栓の中心軸に対して傾斜させながら前記外郭を構成する上ケースに挿入し、上方に移動するにつれ、その姿勢を水栓の中心軸と平行状態に変化させ、固定されることを特徴とする請求項１〜４のいずれか一記載の水栓。
【請求項６】
前記操作基板ボックスが外郭を構成する上ケースに固定された状態において、前記操作カバーの操作スイッチ形状を有する操作用スイッチが前記外郭を構成する上ケースの枠に嵌入され、前記外郭を構成する上ケースの操作パネル貼付面凹部と同一面を形成し、その前記操作パネル貼付面凹部の面上のみに操作パネルが貼付けられていることを特徴とする請求項１〜５のいずれか一記載の水栓。
【請求項７】
前記操作基板に連結するケーブルのコネクタ接続および前記外郭ケースを構成する上ケースと下ケースを固定するビスは垂直方向であることを特徴とする請求項１〜６のいずれか一記載の水栓。
【請求項８】
前記操作パネルの裏面糊代は、前記操作カバー操作面に設けないことを特徴とする請求項１〜６のいずれか一記載の水栓。
【発明の詳細な説明】
【０００１】
【発明の属する技術分野】
本発明は、流し台上に設置する水栓と流し台下には水道水中の不純物をろ過するためのろ材が内臓されたカートリッジを有し、浄水器として使用する本体、または電気分解を利用しアルカリイオン水を生成する本体が水道配管と連結設置され、ホース等で水栓と本体が連結されるビルトイン浄水器およびビルトインアルカリ整水器の水栓に関するものである。
【０００２】
【従来の技術】
近年、水道水の水質悪化に伴い消費者の飲料水への関心が高まり水道水を浄化する浄水器、アルカリイオン整水器が普及してきた。また、流し台スペースが確保でき、台所作業で邪魔にならないビルトインタイプが最近急速に普及率を伸ばしている。ユーザーにおいては常に、ビルトインアルカリ整水器およびビルトイン浄水器の水栓においては、使い勝手の向上が望まれている。以下、従来の技術として説明するビルトインアルカリイオン整水器は、水道配管と連結する連結部と水道水供給のＯＮ／ＯＦＦを制御する電磁弁と水道水をろ過するためのろ材を収納したカートリッジと水道水を電気分解しアルカリイオン水および酸性水を生成する電解槽が連結された構成である本体と、流し台上でユーザーが水質を選択することができる表示パネルと吐水管、排水管を有する水栓がホース等の連結部材によって連結され、前記表示パネルの操作によってアルカリ水、酸性水、浄水に水質を切り換え、水を吐水させることができるものである。
【０００３】
従来のビルトインアルカリ整水器について説明する。図７は従来のビルトインアルカリの流し台への設置図、図８は従来のビルトインアルカリ整水器用水栓の断面図、図９はビルトインアルカリ整水器用水栓の外観図、図１０はビルトインアルカリ整水器用水栓の操作パネル詳細図。図７〜図１０において１は水道配管、２は給水管、３は水道水供給のＯＮ／ＯＦＦを制御する電磁弁、水道水をろ過するカートリッジ、ろ過された水を電気分解し、アルカリ水、酸性水を生成する電解槽が内蔵されている本体、４は本体と水栓を接続し、飲用水を通水する吐水管、５は本体と水栓を接続し、飲用外の水を通水する排水管、６は水質選択と水道水供給のＯＮ／ＯＦＦを選択する操作パネル、７は操作パネル６を有する水栓である。ここで、水の流れおよび簡単な動作を説明する。操作パネル６の止水／通水スイッチを押すと、本体３内の電磁弁が通水路を開き、水道水は水道配管１から給水管２を介して本体３に流入する。本体３内では水道水はカートリッジでろ過され、電解槽に流入し、操作パネル６でアルカリ水が選択されている場合は電解槽内で電気分解され、アルカリ水は吐水管４へ流出し、水栓７内の吐水路部材８を通り、吐出パイプ９より吐水する。また、酸性水は排水管５へ流出し、水栓７内の排水路部材１０を通り、排出パイプ１１より排水する。次に、操作パネル６で酸性水が選択されている場合は電解槽内で電気分解され、酸性水は吐水管４へ流出し、水栓７内の吐水路部材８を通り、吐出パイプ９より吐水する。また、アルカリ水は排水管５へ流出し、水栓７内の排水路部材１０を通り、排出パイプ１１より排水する。最期に、操作パネル６で浄水が選択されている場合は電解槽内で電気分解はされず、定められた流量比にて吐水管４への流出と、排水管５への流出を行い、それぞれ水栓７内の吐水路部材８および排水路部材１０を通り、吐出パイプ９および排出パイプ１１より吐水する。なお、浄水使用時に排水カット機能を設けた場合は全流量が吐水管４へ流出し、水栓７内の吐水路部材８を通り、吐出パイプ９より吐水し、排出パイプ１１より排水されない。
【０００４】
次に、水栓７の構造を詳細に説明する。図８〜図１０において、操作用ＳＷ１２を１ヵ所または複数ヵ所有する操作用ケース１３と操作用ケース１３の操作用スイッチ１２表面に貼付されている操作パネル６と背面よりビス２４にて操作用ケース１３と固定される背面ケース１４と下面よりビス２４にて背面ケース１４と固定される下ケース１５により水栓７の外郭が構成されている。また、外側からの水が水栓７内部へ侵入するのを防止するため操作用ケース１３と背面ケース１４の嵌合凸凹部および背面ケース１４と下ケース１５の嵌合凸凹部にはパッキン１７が設けられている。内部構成としては操作用ケース１３の操作用スイッチ１２裏面にビス固定またはスナップフィット固定されている操作基板１６からの信号を本体３に内蔵されている制御基板へ伝達するケーブル１８と金属または樹脂製の吐水路部材８および排水路部材１０が水栓７内部に設けられ、吐水路部材８の一次側は本体３と接続される吐水管４とネジの螺合またはホースバンド２１により接続され、二次側は接続継手１９に嵌入し、吐出パイプ９の凸部９ａを接続継手１９と吐出パイプ固定用ナット２０で挟み込み、ネジ螺合によって接続されている。排水路部材１０の一次側は本体３と接続される排水管５とホースバンド２１またはネジの螺合により接続され、二次側は排出パイプ１１の凸部１１ａを排水路部材１０と排出パイプ固定用ナット２２で挟み込み、ネジの螺合によって接続されている。水栓７の内部部品である吐水路部材８、排水路部材１０等は固定金具２３を下ケース１５にビス２４で固定することによって水栓７内部で保持・固定される。流し台に固定するための金具類が固定金具２３に取り付けされることとなる。次に、操作パネル６の表示において図１０を用いて説明する。操作スイッチ機能としては水道水供給のＯＮ／ＯＦＦ制御を行う止水／通水スイッチと使用する水質を選択するために、アルカリ水を選択するアルカリスイッチ２５、浄水を選択する浄水スイッチ２６、酸性を選択する酸性スイッチ２７が設けられ、ユーザーにお知らせする表示機能としては、水道水のろ過を目的としたカートリッジの寿命を使用量に応じて段階的にＬＥＤの点灯・点滅・消灯によってお知らせするカートリッジ寿命ランプ２８、規定されたろ過能力（使用量）に到達もしくは水道水の汚れによりカートリッジ目詰まりが発生し規定されたろ過流量以下に減少した場合にカートリッジの交換をＬＥＤ点灯・点滅・消灯によってお知らせするカートリッジ交換ランプ２９、アルカリ水使用時のｐＨの強弱を段階的に、且つアルカリ水を選択していることをＬＥＤ点灯でお知らせするアルカリ水選択ランプ３０、浄水を選択していることをＬＥＤ点灯でお知らせする浄水選択ランプ３１、酸性水を選択していることをＬＥＤ点灯でお知らせする酸性水選択ランプ３２、水の飲用可・飲用不可をＬＥＤの点滅・点灯をお知らせする水信号ランプ３３が設けられている（例えば、特許文献１参照。）。
【０００５】
【特許文献１】
特開平１０−５７９６２号公報
【０００６】
【発明が解決しようとする課題】
従来のビルトインアルカリ整水器およびビルトイン浄水器の水栓７においては、水栓７の構造上、強度確保のため吐水路部材８に金属配管を使用し、吐水路部材８が操作基板近傍に位置し、水栓７の表面にメッキ処理を施した場合、静電気による機能故障が懸念されていたため、メッキによる表面処理が出来ず水栓の高級感向上を実施することが出来なかった。また、吐水路部材８に金属配管を使用し、側面から外郭ケースを固定ビスで挟み込む構造であったため、あらゆる方向からの組立となり、組立が複雑であり、固定用のビスも外観に露出し、ユーザーに見えるため外観の高級感を損なうものであった。
【０００７】
そこで本発明は、上記従来の問題点を解決するもので、流し台に設置するビルトインアルカリ整水器およびビルトイン浄水器の操作基板を内蔵した水栓において、水栓の外郭ケース表面にはメッキを施し、製品側面には、水栓組立用のビスがなく、前記ビスが外観に露出しない構造であることを特徴とする水栓を提供し、高級感を備えることを目的とする。
【０００８】
【課題を解決するための手段】
上記目的を達成するために本発明の流し台に設置するビルトインアルカリ整水器およびビルトイン浄水器の操作基板を内蔵した水栓において、水栓の外郭ケース表面にはメッキを施し、製品側面には、水栓組立用のビスがなく、前記ビスが外観に露出しない構造である高級感を備えた水栓構造であることを特徴とする。この発明によれば、近年普及率の高まっている対面キッチン等にも十分に高級感を備えたビルトインアルカリ整水器およびビルトイン浄水器の水栓を提供することができる。
【０００９】
【発明の実施の形態】
請求項１記載の発明は、流し台に設置するビルトインアルカリ整水器およびビルトイン浄水器の操作基板を内蔵した水栓において、水栓の外郭ケース表面にはメッキを施し、製品側面には、水栓組立用のビスがなく、ビスが外観に露出しない高級感を備えた構造とした。この構造によれば、近年普及率の高まっている対面キッチン等にも十分に高級感を備えたビルトインアルカリ整水器およびビルトイン浄水器の水栓を提供することができる。
【００１０】
請求項２記載の発明は、外郭ケースは、垂直方向に分割され、その連結構造として、プラスチック製の通水路を有する連結部材によってビス固定されている構造とした。この構造によれば、組立性に優れ、吐水路部材に金属配管せずに十分な強度を確保することができる。
【００１１】
請求項３記載の発明は、操作基板は、操作スイッチのヒンジ形状を有するプラスチック製の操作カバーと連結部材によって収納された状態で操作基板ボックスを形成する構造とした。この構造によれば、静電気による機能故障を防止することができる。
【００１２】
請求項４記載の発明は、操作基板の固定は操作カバーと連結部材によって挟み込まれた状態のみで固定されている構造とした。この構造によれば、部品点数を削減することができ、コストメリット、組立性を向上することができる。
【００１３】
請求項５記載の発明は、操作基板ボックスを、外郭を構成する上ケースに固定する場合は、その姿勢を水栓の中心軸に対して傾斜させながら外郭を構成する上ケースに挿入し、上方に移動するにつれ、その姿勢を水栓の中心軸と平行状態に変化させ、固定される構造とした。この構造によれば、水栓の組立性を向上することができる。
【００１４】
請求項６記載の発明は、操作基板ボックスが外郭を構成する上ケースに固定された状態において、操作カバーの操作スイッチ形状を有する操作用スイッチが外郭を構成する上ケースの枠に嵌入され、外郭を構成する上ケースの操作パネル貼付面凹部と同一面を形成し、その操作パネル貼付面凹部の面上のみに操作パネルが貼付けられている構造とした。この構造によれば、静電気による機能故障を防止、操作スイッチの操作性確保、及びメンテナンス性を確保することができる。
【００１５】
請求項７記載の発明は、操作基板に連結するケーブルのコネクタ接続および外郭ケースを構成する上ケースと下ケースを固定するビスは垂直方向である構造とした。この構造によれば、水栓の組立性向上、及び、水栓概観の高級感を向上することができる。
【００１６】
請求項８記載の発明は、操作パネルの裏面糊代は、操作カバーの操作面に設けない構造とした。この構造によれば、メンテナンス性を確保することができる。
【００１７】
以下本発明のビルトインアルカリ整水器用水栓における一実施の形態について図面を用いて詳細に説明する。ビルトイン浄水器用水栓に関しては同一構造となるため説明は省略する。図１は本発明の一実施の形態におけるビルトインアルカリ整水器の流し台への設置図、図２は本発明の一実施の形態におけるビルトインアルカリ整水器用水栓の断面図、図３は本発明の一実施の形態におけるビルトインアルカリ整水器用水栓の外観図、図４は本発明の一実施の形態におけるビルトインアルカリ整水器用水栓の操作パネル詳細図、図５は本発明の一実施の形態におけるビルトインアルカリ整水器用水栓の操作基板ボックスの組立構造図、図６は本発明の一実施の形態におけるビルトインアルカリ整水器用水栓の外郭ケースの組立構造図である。なお、以下に示す実施の形態において、従来の技術で説明したビルトインアルカリ整水器に対応する部材は同じ符号を付し、重複する説明はそこに譲って省略する。図１において、１は水道配管、２は給水管、３は本体、４は吐水管、５は排水管、６は操作パネル、７は水栓、９は吐出パイプ、２０は吐出パイプ固定用ナット、１１は排出パイプ、２２は排出パイプ固定用ナット、３３は水信号ランプである。ここで、水の流れおよび簡単な動作を説明する。図１〜図４において操作パネル６の止水／通水スイッチ３４を押すと、本体３内の電磁弁が通水路を開き、水道水は水道配管１から給水管２を介して本体３に流入する。本体３内では水道水はカートリッジでろ過され、電解槽に流入し、操作パネル６でアルカリ水が選択されている場合は電解槽内で電気分解され、アルカリ水は吐水ホース４１へ流出し、水栓７内の通水路３８ａを通り、吐出パイプ９より吐水する。また、酸性水は排水ホース４２へ流出し、水栓７内の通水路３９ｂを通り、排出パイプ１１より排水する。次に、操作パネル６で酸性水が選択されている場合は電解槽内で電気分解され、酸性水は吐水ホース４１へ流出し、水栓７内の通水路３８ａを通り、吐出パイプ９より吐水する。また、アルカリ水は排水ホース４２へ流出し、水栓７内の通水路３９ｂを通り、排出パイプ１１より排水する。最期に、操作パネル６で浄水が選択されている場合は電解槽内で電気分解はされず、定められた流量比にて吐水ホース４１への流出と、排水ホース４２への流出を行い、それぞれ水栓７内の通水路３８ａおよび通水路３９ｂを通り、吐出パイプ９および排出パイプ１１より吐水する。なお、浄水使用時に排水カット機能を設けた場合は全流量が吐水ホース４１へ流出し、水栓７内の通水路３８ａを通り、吐出パイプ９より吐水し、排出パイプ１１より排水されない。
【００１８】
次に、操作パネル６の表示において図４を用いて説明する。操作スイッチ機能としては水道水供給のＯＮ／ＯＦＦ制御を行う止水／通水スイッチと使用する水質を選択するために、アルカリ水を選択するアルカリスイッチ２５、浄水を選択する浄水スイッチ２６、酸性を選択する酸性スイッチ２７が設けられ、ユーザーにお知らせする表示機能としては、水道水のろ過を目的としたカートリッジの寿命を使用量に応じて段階的にＬＥＤの点灯・点滅・消灯によってお知らせするカートリッジ寿命ランプ２８、規定されたろ過能力（使用量）に到達もしくは水道水の汚れによりカートリッジ目詰まりが発生し規定されたろ過流量以下に減少した場合にカートリッジの交換をＬＥＤ点灯・点滅・消灯によってお知らせするカートリッジ交換ランプ２９、アルカリ水使用時のｐＨの強弱を段階的に、且つアルカリ水を選択していることをＬＥＤ点灯でお知らせするアルカリ水選択ランプ３０、浄水を選択していることをＬＥＤ点灯でお知らせする浄水選択ランプ３１、酸性水を選択していることをＬＥＤ点灯でお知らせする酸性水選択ランプ３２。ビルトイン浄水器の場合は、水質切換スイッチは設けられない。
【００１９】
次に、水栓７の構造について図２〜図５を用いて説明する。まず、各部品としましては、３５は上ケースであり、正面には操作カバー３６が嵌入される枠３５ａ、上部にはリング状パネル３７の取付穴３５ｂ、下部には各内部部品が挿入される挿入穴３５ｃが設けられている。３６は操作カバーであり、ヒンジ形状の操作用スイッチ１２およびＬＥＤ視認用穴３６ａを有する操作面３６ｂ、操作基板１６が取り付けられる操作基板収納室３６ｃが設けられている。３８は吐水継手であり、通水路３８ａ、ＬＥＤ発光の反射板３８ｂ、操作基板１６の押えリブ３８ｃ、吐出パイプ固定用ナット２０との結合部である雄ネジ部３８ｄが設けられている。１８は操作基板１６と本体３に内蔵する制御基板を接続するケーブルである。３９は分岐継手であり、吐水継手３８に接続される通水路３９ａ、排出パイプ１１に接続される通水路３９ｂ、排出パイプ固定用ナット２２との結合部である雄ネジ部３９ｃが設けられている。４０はホース用継手であり、吐水ホース４１に接続される吐水継手部４０ａ、排水ホース４２に接続される排水継手部４０ｂが設けられ、接続後はそれぞれホースバンド２１にて固定されている。１５は下ケースであり、内部の各部材を水栓７内部に固定するため上ケース３５、吐水継手３８とビス２４にて固定するためのビス穴１５ａが設けられている。２３は流し台に固定するための金具と固定する固定金具である。操作パネル６から独立した水信号ランプ３３機構部は上ケース３５上部の取付穴３５ｂに上方からＯリング４４を介して嵌入されている。吐水パイプ９と吐水継手３８の出口穴３８ｇはＯリング４４を介して接続され、吐出パイプ固定用ナット２０と吐水継手３８で挟み込み、ネジの螺合によって接続固定されている。
【００２０】
次に構造として、従来の技術では、操作基板１６が吐水路部材８の近傍にあることにより、静電気による機能故障が懸念されていたため、メッキによる表面処理が出来ず水栓の高級感向上を実施することが出来なかった。また、吐水路部材８に金属配管を使用し、側面から外郭ケースを固定ビスで挟み込む構造であったため、あらゆる方向からの組立となり、組立が複雑であり、固定用のビスも外観に露出し、ユーザーに見えるため外観の高級感を損なうものであったが、本発明は、プラスチック製の吐水継手３８を使用し、操作基板１６をプラスチック製の操作カバー３６で挟みこむ構造とした。また、水栓７の外郭をなす、下ケース１５と上ケース３５は垂直方向に分割されており、垂直方向のみにより、外郭ケースをビスで固定する構造とした。そこで本発明の一実施の形態である水栓７に組立構造について詳細に説明する。操作基板１６は操作カバー３６の操作基板収納室３６ｃに収納され、位置決めリブ３６ｄによってその位置が規制されており、操作基板１６の裏面からは吐水継手３８の押えリブ３８ｃによって押さえられ、操作カバー３６の爪３６ｄと吐水継手３８の穴３８ｅをスナップフィット結合させ操作基板１６が挟み込まれた状態の操作基板ボックス４３が構成される。操作基板ボックス４３は上ケース３５の下方に位置する挿入穴３５ｃより、その姿勢を水栓７の中心軸に対して傾斜させながら上ケース３５の上方に向かって挿入していき、上方に移動するに従い、その姿勢を水栓の中心軸と平行状態に変化していき、操作カバー３６の操作面３６ｂが上ケース３５の枠３５ａに完全に嵌入した状態で仮固定され、１個または複数のビス２４によって上ケース３５に設けられたボス３５ｅと吐水継手３８に設けられたビス固定用穴３８ｊが完全固定される。上ケース３５の正面には操作パネル６の貼り付け面として凹部３５ｆが設けられ、その貼付面凹部３５ｆは操作カバー３６の操作面３６ｂと同一面を形成し、操作パネル６の裏面の貼付糊は凹部３５ｆ面上にのみ貼り付けされる形状となっている。操作基板ボックス４３の下には操作基板１６からのコネクタが垂直方向に向かって露出しており、ケーブル１８が接続されている。分岐継手３９の通水路３９ａ二次側の吐水側挿入管３９ｄと吐水継手３８の吐水側入口穴３８ｆはＯリング４４を介して接続され、通水路３９ｂ二次側の排水側挿入管３９ｅと上ケース３５の分岐継手挿入穴３５ｇにＯリング４４を介して接続され、排出パイプ１１と排水側挿入管３９ｅはＯリング４４を介して接続され、凸部１１ａを分岐継手３９と排出パイプ固定用ナット２２で挟み込み、ネジの螺合によって接続固定されている。水栓７の外郭をなす、下ケース１５と上ケース３５は垂直方向に分割されており、その嵌合部にはパッキン４４が挟まれ、通水路３８ａを兼備えた吐水継手３８が上ケース３５と下ケース１５の連結材をなすため、１個または複数のビス２４によって、吐水継手３８に設けられたボス３８ｉと下ケース１５に設けられたビス穴１５ａをビス２４にて固定し、１個または複数のビス２４によって上ケース３５に設けられたボス３５ｈに、下ケース１５に設けられたビス穴１５ａが完全に固定される。吐水ホース４１と排水ホース４２が接続されているホース用継手４０は分岐継手３９の通水路３９ａ、３９ｂにそれぞれＯリング４４を介して嵌入され、固定金具２３と下ケース１５に挟まれた状態で、１個または複数のビス２４によって下ケース１５に設けられたボス１５ｂに、固定金具２３が完全に固定される。
【００２１】
このように本発明の一実施の形態におけるビルトインアルカリ整水器およびビルトイン浄水器は、プラスチック製の吐水路部材８を使用し、操作基板１６をプラスチック製の制御基板ボックス４３で挟みこむ構造とすることにより、静電気による機能故障の防止を可能にし、水栓概観部にメッキを施し、高級感を持たせることができるものである。また、水栓の外郭ケースを垂直方向のビス止めにすることにより、近年普及率の高まっている対面キッチンにおいても３６０度どの方向から見ても、ビスが見えない高級感を持たせることができるものである。
【００２２】
【発明の効果】
流し台に設置するビルトインアルカリ整水器およびビルトイン浄水器の操作基板を内蔵した水栓において、水栓の外郭ケース表面にはメッキを施し、製品側面には、水栓組立用のビスがなく、前記ビスが外観に露出しない構造である高級感を備えた水栓構造であることを特徴とする。この発明によれば、近年普及率の高まっている対面キッチン等にも十分に高級感を備えたビルトインアルカリ整水器およびビルトイン浄水器の水栓を提供することができる。
【図面の簡単な説明】
【図１】本発明の一実施の形態におけるビルトインアルカリ整水器の流し台への設置図
【図２】本発明の一実施の形態におけるビルトインアルカリ整水器用水栓の断面図
【図３】本発明の一実施の形態におけるビルトインアルカリ整水器用水栓の外観図
【図４】本発明の一実施の形態におけるビルトインアルカリ整水器用水栓の操作パネル詳細図
【図５】本発明の一実施の形態におけるビルトインアルカリ整水器用水栓の操作基板の設置構造図
【図６】本発明の一実施の形態におけるビルトインアルカリ整水器用水栓の外郭ケース組立構造図
【図７】従来のビルトインアルカリ整水器の流し台への設置図
【図８】従来のビルトインアルカリ整水器用水栓の断面図
【図９】従来のビルトインアルカリ整水器用水栓の外観図
【図１０】従来のビルトインアルカリ整水器用水栓の操作パネル詳細図
【符号の説明】
１  水道配管
２  給水管
３  本体
４  吐水管
５  排水管
６  操作パネル
７  水栓
８  吐水路部材
９  吐出パイプ
９ａ  凸部
１０  排水路部材
１１  排出パイプ
１１ａ  凸部
１２  操作用スイッチ
１３  操作用ケース
１４  背面ケース
１５  下ケース
１５ａ  ビス穴
１５ｂ  ボス
１６  操作基板
１７  パッキン
１８  ケーブル
１８ａ  コネクタ
１９  接続継手
２０  吐出パイプ固定用ナット
２１  ホースバンド
２２  排出パイプ固定用ナット
２３  固定金具
２４  ビス
２５  アルカリスイッチ
２６  浄水スイッチ
２７  酸性スイッチ
２８  カートリッジ寿命ランプ
２９  カートリッジ交換ランプ
３０  アルカリ水選択ランプ
３１  浄水選択ランプ
３２  酸性水選択ランプ
３３  水信号ランプ
３４  止水／通水スイッチ
３５  上ケース
３５ａ  枠
３５ｂ  取付穴
３５ｃ  挿入穴
３５ｅ  ボス
３５ｆ  凹部
３５ｇ  分岐継手挿入穴
３５ｈ  ボス
３６  操作カバー
３６ａ  ＬＥＤ視認用穴
３６ｂ  操作面
３６ｃ  操作基板収納室
３６ｄ  爪
３６ｅ  水信号基板設置面
３６ｆ  位置決めリブ
３７  リング状パネル
３７ａ  内壁
３７ｂ  視野範囲
３７ｃ  反射室
３８  吐水継手
３８ａ  通水路
３８ｂ  反射板
３８ｃ  押えリブ
３８ｄ  雄ネジ部
３８ｅ  穴
３８ｆ  吐水側入口穴
３８ｇ  出口穴
３８ｈ  溝
３８ｉ  ボス
３８ｊ  ビス固定用穴
３９  分岐継手
３９ａ  通水路
３９ｂ  通水路
３９ｃ  雄ネジ部
３９ｄ  吐水側挿入管
３９ｅ  排水側挿入管
４０  ホース用継手
４１  吐水ホース
４２  排水ホース
４３  操作基板ボックス
４４  Ｏリング
【図１】
2004232382.tif 000003
【図２】
2004232382.tif 000004
【図３】
2004232382.tif 000005
【図４】
2004232382.tif 000006
【図５】
2004232382.tif 000007
【図６】
2004232382.tif 000008
【図７】
2004232382.tif 000009
【図８】
2004232382.tif 000010
【図９】
2004232382.tif 000011
【図１０】
2004232382.tif 000012